(57)【要約】【課題】  提供情報の自動作成あるいは自動更新が可能な情報収集システムを提供する。【解決手段】  認識部３０１は、情報送信端末装置から、互いに関連づけられた映像情報および該映像情報が取得された位置を示す位置情報を受け付け、受け付けた映像情報から映像特定情報を抽出する。判断部３０２は、分類情報記憶部３０３から、認識部３０１にて抽出された映像特定情報と、分類情報記憶部３０３に記憶された分類情報データベースと、に基づいて、認識部３０１から受け付けた総合情報を特定の種別に分類する。提供情報生成部３１０は、認識部３０１から受け付けた総合情報と、判断部３０２にて分類された特定の種別とに基づいて、提供情報を作成あるいは更新する。【選択図】      図３
2006309481.tif 000002
【特許請求の範囲】
【請求項１】
映像情報を取得し、取得した映像情報を送信する情報送信端末装置から、前記映像情報を受け付けると、受け付けた映像情報に基づいてユーザに提供する提供情報を作成あるいは更新する情報加工サーバと、前記情報加工サーバが作成あるいは更新した前記提供情報を記憶する記憶装置と、を含む情報収集システムであって、
前記情報加工サーバは、
前記映像情報を複数の種別のいずれかに分類するための分類情報を記憶する分類情報記憶手段と、
前記情報送信端末装置から送信された前記映像情報を受け付ける入力手段と、
前記入力手段が受け付けた映像情報から特定の映像特定情報を抽出する抽出手段と、
前記抽出手段にて抽出された前記映像特定情報を、前記分類情報記憶手段にて記憶された前記分類情報と照合することによって、前記入力手段が受け付けた映像情報を特定の種別に分類する分類手段と、
前記入力手段が受け付けた映像情報と、前記分類手段にて分類された前記特定の種別と、に基づいて前記提供情報を作成あるいは更新する提供情報生成手段と、
を含み、
前記記憶装置は、
前記提供情報生成手段にて作成あるいは更新された前記提供情報を記憶する提供情報記憶手段、
を含む情報収集システム。
【請求項２】
請求項１に記載の情報収集システムにおいて、
前記提供情報記憶手段は、
地図情報を記憶する地図情報記憶手段、
を含み、
前記入力手段は、
前記情報送信端末装置から、前記映像情報と、該映像情報が取得された取得位置を示す取得位置情報と、が関連づけられた情報を受け付け、
前記分類情報記憶手段は、
地図更新分類情報を記憶し、
前記分類手段は、
前記抽出手段にて、前記入力手段が受け付けた前記映像情報から前記分類情報記憶手段にて記憶された前記地図更新分類情報が抽出されると、該映像情報を地図更新情報に分類し、
前記提供情報生成手段は、
前記分類手段にて前記映像情報が前記地図更新情報に分類されると、前記地図情報記憶手段から、前記入力手段が受け付けた取得位置情報にて示される前記取得位置の周辺の該当地図情報を取得し、取得した該当地図情報と前記抽出手段にて抽出された前記映像特定情報とに基づいて、前記該当地図情報を更新する地図情報更新手段、
を含む情報収集システム。
【請求項３】
請求項２に記載の情報収集システムにおいて、
前記記憶装置は、
前記地図情報上の位置を示す地図位置情報と該地図位置情報の重要度を示すパラメータと、を前記地図位置情報ごとに記憶する重要度記憶手段、
を含み、
前記入力手段は、
前記情報送信端末装置から、前記映像情報と、前記映像情報と共に前記情報送信端末にて取得された音声情報と、該映像情報および該音声情報が取得された前記取得位置を示す前記取得位置情報と、が関連づけられた情報を受け付け、
前記地図情報更新手段は、
前記分類手段にて前記映像情報が前記地図更新情報に分類されると、前記重要度記憶手段から、前記入力手段が受け付けた取得位置情報にて示される前記取得位置を示す前記地図位置情報と関連づけられた前記パラメータを取得し、取得したパラメータに応じて、前記分類手段にて前記地図更新情報に分類された映像情報および前記入力手段が受け付けた音声情報を加工し、
前記提供情報記憶手段は、
前記地図情報更新手段にて加工された映像情報および音声情報と、前記入力手段が受け付けた取得位置情報と、を関連づけて記憶する地図提供情報記憶手段、
を含む情報収集システム。
【請求項４】
請求項３に記載の情報収集システムにおいて、
前記重要度記憶手段は、
前記映像特定情報と該映像特定情報の重要度を示すパラメータと、を前記映像特定情報ごとに記憶し、
前記提供情報記憶手段は、
店舗の前記地図情報上の所在地を示す前記地図位置情報と、該店舗に対応する店舗提供情報と、該店舗にて前記情報送信端末装置が取得した前記映像情報および前記音声情報を加工した前記映像情報および前記音声情報と、を前記地図位置情報ごとに記憶する店舗情報記憶手段、
を含み、
前記抽出手段は、
前記入力手段が受け付けた音声情報から特定の音声特定情報をさらに抽出し、
前記分類情報記憶手段は、
店舗更新分類情報を記憶し、
前記分類手段は、
前記抽出手段にて、前記入力手段が受け付けた前記映像情報から前記分類情報記憶手段にて記憶された前記店舗更新分類情報が抽出されると、該映像情報を店舗更新情報に分類し、
前記提供情報生成手段は、
前記分類手段にて前記映像情報が前記店舗更新情報に分類されると、前記店舗情報記憶手段から、前記入力手段が受け付けた取得位置情報にて示される前記取得位置を示す前記地図位置情報と関連づけられた前記店舗提供情報を取得し、取得した店舗提供情報と、前記抽出手段にて抽出された前記映像特定情報および前記音声特定情報と、に基づいて前記店舗提供情報を更新あるいは作成し、前記重要度記憶手段から、前記抽出手段にて抽出された前記映像特定情報と関連づけられた前記パラメータを取得し、取得したパラメータに応じて、前記分類手段にて前記店舗更新情報に分類された映像情報および前記入力手段が受け付けた音声情報を加工する店舗情報生成手段、
を含む情報収集システム。
【請求項５】
請求項４に記載の情報収集システムにおいて、
前記分類情報記憶手段は、
娯楽施設分類情報を記憶し、
前記分類手段は、
前記抽出手段にて、前記入力手段が受け付けた前記映像情報から前記分類情報記憶手段にて記憶された前記娯楽施設分類情報が抽出されると、該映像情報を娯楽施設情報に分類し、
前記提供情報生成手段は、
前記分類手段にて前記映像情報が前記娯楽施設情報に分類されると、前記重要度記憶手段から、前記抽出手段にて抽出された前記映像特定情報と関連づけられた前記パラメータを取得し、取得したパラメータに応じて、前記分類手段にて前記娯楽施設情報に分類された映像情報と前記入力手段が受け付けた音声情報と、を加工する娯楽施設情報生成手段、
を含み、
前記提供情報記憶手段は、
前記娯楽施設情報生成手段にて加工された前記映像情報および前記音声情報を、前記入力手段が受け付けた前記取得位置情報と、関連づけて記憶する娯楽施設情報記憶手段、
を含む情報収集システム。
【請求項６】
請求項４あるいは５に記載の情報収集システムにおいて、
前記情報収集システムは、
検索サーバ、
をさらに含み、
前記検索サーバは、
前記提供情報記憶手段にて記憶された前記提供情報を取得する旨の取得要求を受け付ける検索入力手段と、
前記重要度記憶手段にて前記パラメータと関連づけられた前記地図位置情報と、前記検索入力手段が過去に受け付けた取得要求の要求対象に該地図位置情報が含まれたアクセス回数と、を前記地図位置情報ごとに記憶し、前記重要度記憶手段にて前記パラメータと関連づけられた前記映像特定情報と、前記検索入力手段が過去に受け付けた取得要求の要求対象に前記映像特定情報が含まれたアクセス回数と、を前記映像特定情報ごとに記憶するアクセス回数記憶手段と、
前記検索入力手段が受け付けた取得要求の要求対象に含まれる前記地図位置情報と、該地図位置情報と前記アクセス回数記憶手段にて関連づけられて記憶された前記アクセス回数と、に基づいて、前記重要度記憶手段にて該地図位置情報と関連づけられた前記パラメータの値を変更し、前記検索入力手段が受け付けた取得要求の要求対象に含まれる前記映像特定情報と、該映像特定情報と前記アクセス回数記憶手段にて関連づけられた前記アクセス回数と、に基づいて、前記重要度記憶手段にて該映像特定情報と関連づけられて記憶された前記パラメータの値を変更する重要度設定手段と、
を含む情報収集システム。
【請求項７】
映像情報を取得し、取得した映像情報を送信する情報送信端末装置から、前記映像情報を受け付けると、受け付けた映像情報に基づいてユーザに提供する提供情報を作成あるいは更新する情報加工サーバと、前記情報加工サーバが作成あるいは更新した前記提供情報を記憶する記憶装置と、を含み、前記情報加工サーバは、前記映像情報を複数の種別のいずれかに分類するための分類情報を記憶する分類情報記憶手段、を含み、前記記憶装置は、提供情報記憶手段を含む、情報収集システムの行う情報収集方法であって、
前記情報加工サーバが、前記情報送信端末装置から送信された前記映像情報を受け付ける入力ステップと、
前記情報加工サーバが、前記入力ステップにて受け付けられた映像情報から特定の映像特定情報を抽出する抽出ステップと、
前記情報加工サーバが、前記抽出ステップにて抽出された前記映像特定情報を、前記分類情報記憶手段にて記憶された前記分類情報と照合することによって、前記入力ステップにて受け付けられた映像情報を特定の種別に分類する分類ステップと、
前記情報加工サーバが、前記入力ステップにて受け付けられた映像情報と、前記分類ステップにて分類された前記特定の種別と、に基づいて前記提供情報を作成あるいは更新する提供情報生成ステップと、
前記記憶装置が、前記提供情報生成ステップにて作成あるいは更新された前記提供情報を前記提供情報記憶手段に記憶する提供情報記憶ステップと、
を含む情報収集方法。
【請求項８】
請求項７に記載の情報収集方法において、
前記提供情報記憶手段は、地図情報を記憶する地図情報記憶手段、を含み、前記分類情報記憶手段は、地図更新分類情報を記憶し、
前記入力ステップでは、
前記情報加工サーバが、前記情報送信端末装置から、前記映像情報と、該映像情報が取得された取得位置を示す取得位置情報と、が関連づけられた情報を受け付け、
前記分類ステップでは、
前記情報加工サーバが、前記抽出ステップにて、前記入力ステップにて受け付けられた前記映像情報から前記分類情報記憶手段にて記憶された前記地図更新分類情報が抽出されると、該映像情報を地図更新情報に分類し、
前記提供情報生成ステップでは、
前記情報加工サーバが、前記分類ステップにて前記映像情報が前記地図更新情報に分類されると、前記地図情報記憶手段から、前記入力ステップにて受け付けられた取得位置情報にて示される前記取得位置の周辺の該当地図情報を取得し、取得した該当地図情報と前記抽出ステップにて抽出された前記映像特定情報とに基づいて、前記該当地図情報を更新する地図情報更新ステップ、
を含む情報収集方法。
【請求項９】
請求項８に記載の情報収集方法において、
前記記憶装置は、前記地図情報上の位置を示す地図位置情報と該地図位置情報の重要度を示すパラメータと、を前記地図位置情報ごとに記憶する重要度記憶手段、を含み、前記提供情報記憶手段は、地図提供情報記憶手段、を含み、
前記入力ステップでは、
前記情報加工サーバが、前記情報送信端末装置から、前記映像情報と、前記映像情報と共に前記情報送信端末にて取得された音声情報と、該映像情報および該音声情報が取得された前記取得位置を示す前記取得位置情報と、が関連づけられた情報を受け付け、
前記地図情報更新ステップでは、
前記情報加工サーバが、前記分類ステップにて前記映像情報が前記地図更新情報に分類されると、前記重要度記憶手段から、前記入力ステップにて受け付けられた取得位置情報にて示される前記取得位置を示す前記地図位置情報と関連づけられた前記パラメータを取得し、取得したパラメータに応じて、前記分類ステップにて前記地図更新情報に分類された映像情報および前記入力ステップにて受け付けられた音声情報を加工し、
前記提供情報記憶ステップでは、
前記記憶装置が、前記地図情報更新ステップにて加工された映像情報および音声情報と、前記入力ステップにて受け付けられた取得位置情報と、を関連づけて前記地図提供情報記憶手段に記憶する地図提供記憶ステップ、
を含む情報収集方法。
【請求項１０】
請求項９に記載の情報収集方法において、
前記重要度記憶手段は、前記映像特定情報と該映像特定情報の重要度を示すパラメータと、を前記映像特定情報ごとに記憶し、前記提供情報記憶手段は、店舗の前記地図情報上の所在地を示す前記地図位置情報と、該店舗に対応する店舗提供情報と、該店舗にて前記情報送信端末装置が取得した前記映像情報および前記音声情報を加工した前記映像情報および前記音声情報と、を前記地図位置情報ごとに記憶する店舗情報記憶手段、を含み、前記分類情報記憶手段は、店舗更新分類情報を記憶し、
前記抽出ステップでは、
前記情報加工サーバが、前記入力ステップにて受け付けられた音声情報から特定の音声特定情報を抽出し、
前記分類ステップでは、
前記情報加工サーバが、前記抽出ステップにて、前記入力ステップにて受け付けられた前記映像情報から前記分類情報記憶手段にて記憶された前記店舗更新分類情報が抽出されると、該映像情報を店舗更新情報に分類し、
前記提供情報生成ステップでは、
前記情報加工サーバが、前記分類ステップにて前記映像情報が前記店舗更新情報に分類されると、前記店舗情報記憶手段から、前記入力ステップにて受け付けられた取得位置情報にて示される前記取得位置を示す前記地図位置情報と関連づけられた前記店舗提供情報を取得し、取得した店舗提供情報と、前記抽出ステップにて抽出された前記映像特定情報および前記音声特定情報と、に基づいて前記店舗提供情報を更新あるいは作成し、前記重要度記憶手段から、前記抽出ステップにて抽出された前記映像特定情報と関連づけられた前記パラメータを取得し、取得したパラメータに応じて、前記分類ステップにて前記店舗更新情報に分類された映像情報および前記入力ステップにて受け付けられた音声情報を加工する店舗情報生成ステップ、
を含む情報収集方法。
【請求項１１】
請求項１０に記載の情報収集方法において、
前記提供情報記憶手段は、娯楽施設情報記憶手段、を含み、前記分類情報記憶手段は、娯楽施設分類情報を記憶し、
前記分類ステップでは、
前記情報加工サーバが、前記抽出ステップにて、前記入力ステップにて受け付けられた前記映像情報から前記分類情報記憶手段にて記憶された前記娯楽施設分類情報が抽出されると、該映像情報を娯楽施設情報に分類し、
前記提供情報生成ステップでは、
前記情報加工サーバが、前記分類ステップにて前記映像情報が前記娯楽施設情報に分類されると、前記重要度記憶手段から、前記抽出ステップにて抽出された前記映像特定情報と関連づけられた前記パラメータを取得し、取得したパラメータに応じて、前記分類ステップにて前記娯楽施設情報に分類された映像情報と前記入力ステップにて受け付けられた音声情報と、を加工する娯楽施設情報生成ステップ、
を含み、
前記提供情報記憶ステップでは、
前記記憶装置が、前記娯楽施設情報生成ステップにて加工された前記映像情報および前記音声情報を、前記入力ステップにて受け付けられた前記取得位置情報と、関連づけて前記娯楽施設情報記憶手段に記憶する娯楽施設情報記憶ステップ、
を含む情報収集方法。
【請求項１２】
請求項１０あるいは１１に記載の情報収集方法において、
前記情報収集システムは、前記重要度記憶手段にて前記パラメータと関連づけられた前記地図位置情報と、前記検索入力ステップにて過去に受け付けられた取得要求の要求対象に該地図位置情報が含まれたアクセス回数と、を前記地図位置情報ごとに記憶し、前記重要度記憶手段にて前記パラメータと関連づけられた前記映像特定情報と、前記検索入力ステップにて過去に受け付けられた取得要求の要求対象に前記映像特定情報が含まれたアクセス回数と、を前記映像特定情報ごとに記憶するアクセス回数記憶手段、を含む検索サーバ、をさらに含み、
前記検索サーバが、前記提供情報記憶手段にて記憶された前記提供情報を取得する旨の取得要求を受け付ける検索入力ステップと、
前記検索サーバが、前記検索入力ステップにて受け付けられた取得要求の要求対象に含まれる前記地図位置情報と、該地図位置情報と前記アクセス回数記憶手段にて関連づけられて記憶された前記アクセス回数と、に基づいて、前記重要度記憶手段にて該地図位置情報と関連づけられた前記パラメータの値を変更し、前記検索入力ステップにて受け付けられた取得要求の要求対象に含まれる前記映像特定情報と、該映像特定情報と前記アクセス回数記憶手段にて関連づけられた前記アクセス回数と、に基づいて、前記重要度記憶手段にて該映像特定情報と関連づけられて記憶された前記パラメータの値を変更する重要度設定ステップと、
を含む情報収集方法。
【発明の詳細な説明】
【技術分野】
【０００１】
本発明は、情報収集システムおよび情報収集方法に関する。
【背景技術】
【０００２】
ＧＰＳ（Ｇｌｏｂａｌ Ｐｏｓｉｔｉｏｎｉｎｇ Ｓｙｓｔｅｍ）機能を有する端末装置を用いて、ユーザの所在位置が特定される。また、特定された所在位置と既に作成された地図情報とに基づいて、ユーザは所在位置の周辺の情報を取得できる。
【０００３】
例えば、特許文献１（特開２００３−３４４０７５号公報）に記載の経路情報提供装置では、地図情報および該地図情報に対応したサービス情報（例えば、販売物品などのサービス内容およびデパートなどの該サービス内容を提供する施設）が関連づけられて記憶されている。これにより、この経路情報提供装置は、ＧＰＳ機能を有する端末装置にて特定されたユーザの所在位置とユーザからの要求（例えば、裁縫糸を買いたい）とに基づいて、適切なサービスが受けられる場所、および、その場所にたどり着くための経路をユーザに知らせている。
【特許文献１】特開２００３−３４４０７５号公報
【発明の開示】
【発明が解決しようとする課題】
【０００４】
地図情報および該地図情報に対応した地図対応情報（例えば、地図情報にて示される位置の周辺のサービス情報）は、例えば、道路の新設あるいは店舗の入れ替えなどにより、日々更新される必要がある。
【０００５】
しかしながら、特許文献１に記載の経路情報提供装置では、地図情報および該地図情報に対応したサービス情報を自動更新する手段は備わっていない。このため、地図情報および該地図情報に対応したサービス情報を更新する際、人手にて更新する必要がある。なお、地図情報および該地図情報に対応したサービス情報に限らず、一般に、ユーザに提供される情報を更新する際、同様に人手にて更新する必要がある。
【０００６】
本発明の目的は、ユーザに提供する提供情報の自動作成あるいは自動更新が可能な情報収集システムおよび情報収集方法を提供することである。
【課題を解決するための手段】
【０００７】
前記目的を達成するために、本発明の情報収集システムは、映像情報を取得し、取得した映像情報を送信する情報送信端末装置から、前記映像情報を受け付けると、受け付けた映像情報に基づいてユーザに提供する提供情報を作成あるいは更新する情報加工サーバと、前記情報加工サーバが作成あるいは更新した前記提供情報を記憶する記憶装置と、を含む情報収集システムであって、前記情報加工サーバは、前記映像情報を複数の種別のいずれかに分類するための分類情報を記憶する分類情報記憶手段と、前記情報送信端末装置から送信された前記映像情報を受け付ける入力手段と、前記入力手段が受け付けた映像情報から特定の映像特定情報を抽出する抽出手段と、前記抽出手段にて抽出された前記映像特定情報を、前記分類情報記憶手段にて記憶された前記分類情報と照合することによって、前記入力手段が受け付けた映像情報を特定の種別に分類する分類手段と、前記入力手段が受け付けた映像情報と、前記分類手段にて分類された前記特定の種別と、に基づいて前記提供情報を作成あるいは更新する提供情報生成手段と、を含み、前記記憶装置は、前記提供情報生成手段にて作成あるいは更新された前記提供情報を記憶する提供情報記憶手段、を含む。
【０００８】
また、本発明の情報収集方法は、映像情報を取得し、取得した映像情報を送信する情報送信端末装置から、前記映像情報を受け付けると、受け付けた映像情報に基づいてユーザに提供する提供情報を作成あるいは更新する情報加工サーバと、前記情報加工サーバが作成あるいは更新した前記提供情報を記憶する記憶装置と、を含み、前記情報加工サーバは、前記映像情報を複数の種別のいずれかに分類するための分類情報を記憶する分類情報記憶手段、を含み、前記記憶装置は、提供情報記憶手段を含む、情報収集システムの行う情報収集方法であって、前記情報加工サーバが、前記情報送信端末装置から送信された前記映像情報を受け付ける入力ステップと、前記情報加工サーバが、前記入力ステップにて受け付けられた映像情報から特定の映像特定情報を抽出する抽出ステップと、前記情報加工サーバが、前記抽出ステップにて抽出された前記映像特定情報を、前記分類情報記憶手段にて記憶された前記分類情報と照合することによって、前記入力ステップにて受け付けられた映像情報を特定の種別に分類する分類ステップと、前記情報加工サーバが、前記入力ステップにて受け付けられた映像情報と、前記分類ステップにて分類された前記特定の種別と、に基づいて前記提供情報を作成あるいは更新する提供情報生成ステップと、前記記憶装置が、前記提供情報生成ステップにて作成あるいは更新された前記提供情報を前記提供情報記憶手段に記憶する提供情報記憶ステップと、を含む。
【０００９】
前記発明によれば、情報送信端末装置から受け付けた映像情報から映像特定情報が抽出される。その抽出された映像特定情報に基づいて、映像情報が特定の種別に分類され、映像情報と特定の種別とに基づいて提供情報が作成される。これにより、サービス提供者とは異なる一般のユーザから様々な情報が提供されても、それらの情報が複数の種別の一つに分類され、分類された種別に応じた提供情報が自動生成可能になる。
【００１０】
また、本発明の情報収集システムは、前記提供情報記憶手段は、地図情報を記憶する地図情報記憶手段、を含み、前記入力手段は、前記情報送信端末装置から、前記映像情報と、該映像情報が取得された取得位置を示す取得位置情報と、が関連づけられた情報を受け付け、前記分類情報記憶手段は、地図更新分類情報を記憶し、前記分類手段は、前記抽出手段にて、前記入力手段が受け付けた前記映像情報から前記分類情報記憶手段にて記憶された前記地図更新分類情報が抽出されると、該映像情報を地図更新情報に分類し、前記提供情報生成手段は、前記分類手段にて前記映像情報が前記地図更新情報に分類されると、前記地図情報記憶手段から、前記入力手段が受け付けた取得位置情報にて示される前記取得位置の周辺の該当地図情報を取得し、取得した該当地図情報と前記抽出手段にて抽出された前記映像特定情報とに基づいて、前記該当地図情報を更新する地図情報更新手段、を含むことが望ましい。
【００１１】
また、本発明の情報収集方法は、前記提供情報記憶手段は、地図情報を記憶する地図情報記憶手段、を含み、前記分類情報記憶手段は、地図更新分類情報を記憶し、前記入力ステップでは、前記情報加工サーバが、前記情報送信端末装置から、前記映像情報と、該映像情報が取得された取得位置を示す取得位置情報と、が関連づけられた情報を受け付け、前記分類ステップでは、前記情報加工サーバが、前記抽出ステップにて、前記入力ステップにて受け付けられた前記映像情報から前記分類情報記憶手段にて記憶された前記地図更新分類情報が抽出されると、該映像情報を地図更新情報に分類し、前記提供情報生成ステップでは、前記情報加工サーバが、前記分類ステップにて前記映像情報が前記地図更新情報に分類されると、前記地図情報記憶手段から、前記入力ステップにて受け付けられた取得位置情報にて示される前記取得位置の周辺の該当地図情報を取得し、取得した該当地図情報と前記抽出ステップにて抽出された前記映像特定情報とに基づいて、前記該当地図情報を更新する地図情報更新ステップ、を含むことが望ましい。
【００１２】
前記発明によれば、地図情報が、映像情報から抽出された映像特定情報と、情報取得位置と、に基づいて更新される。これにより、地図情報が自動更新可能になる。
【００１３】
また、本発明の情報収集システムは、前記記憶装置は、前記地図情報上の位置を示す地図位置情報と該地図位置情報の重要度を示すパラメータと、を前記地図位置情報ごとに記憶する重要度記憶手段、を含み、前記入力手段は、前記情報送信端末装置から、前記映像情報と、前記映像情報と共に前記情報送信端末にて取得された音声情報と、該映像情報および該音声情報が取得された前記取得位置を示す前記取得位置情報と、が関連づけられた情報を受け付け、前記地図情報更新手段は、前記分類手段にて前記映像情報が前記地図更新情報に分類されると、前記重要度記憶手段から、前記入力手段が受け付けた取得位置情報にて示される前記取得位置を示す前記地図位置情報と関連づけられた前記パラメータを取得し、取得したパラメータに応じて、前記分類手段にて前記地図更新情報に分類された映像情報および前記入力手段が受け付けた音声情報を加工し、前記提供情報記憶手段は、前記地図情報更新手段にて加工された映像情報および音声情報と、前記入力手段が受け付けた取得位置情報と、を関連づけて記憶する地図提供情報記憶手段、を含むことが望ましい。
【００１４】
また、本発明の情報収集方法は、前記記憶装置は、前記地図情報上の位置を示す地図位置情報と該地図位置情報の重要度を示すパラメータと、を前記地図位置情報ごとに記憶する重要度記憶手段、を含み、前記提供情報記憶手段は、地図提供情報記憶手段、を含み、前記入力ステップでは、前記情報加工サーバが、前記情報送信端末装置から、前記映像情報と、前記映像情報と共に前記情報送信端末にて取得された音声情報と、該映像情報および該音声情報が取得された前記取得位置を示す前記取得位置情報と、が関連づけられた情報を受け付け、前記地図情報更新ステップでは、前記情報加工サーバが、前記分類ステップにて前記映像情報が前記地図更新情報に分類されると、前記重要度記憶手段から、前記入力ステップにて受け付けられた取得位置情報にて示される前記取得位置を示す前記地図位置情報と関連づけられた前記パラメータを取得し、取得したパラメータに応じて、前記分類ステップにて前記地図更新情報に分類された映像情報および前記入力ステップにて受け付けられた音声情報を加工し、前記提供情報記憶ステップでは、前記記憶装置が、前記地図情報更新ステップにて加工された映像情報および音声情報と、前記入力ステップにて受け付けられた取得位置情報と、を関連づけて前記地図提供情報記憶手段に記憶する地図提供記憶ステップ、を含むことが望ましい。
【００１５】
前記発明によれば、映像情報および音声情報が、映像情報および音声情報が取得された取得位置を示す地図位置情報と関連づけられたパラメータに応じて加工される。これにより、地図位置情報に応じた提供情報が自動生成可能になる。
【００１６】
本発明の情報収集システムは、前記重要度記憶手段は、前記映像特定情報と該映像特定情報の重要度を示すパラメータと、を前記映像特定情報ごとに記憶し、前記提供情報記憶手段は、店舗の前記地図情報上の所在地を示す前記地図位置情報と、該店舗に対応する店舗提供情報と、該店舗にて前記情報送信端末装置が取得した前記映像情報および前記音声情報を加工した前記映像情報および前記音声情報と、を前記地図位置情報ごとに記憶する店舗情報記憶手段、を含み、前記抽出手段は、前記入力手段が受け付けた音声情報から特定の音声特定情報をさらに抽出し、前記分類情報記憶手段は、店舗更新分類情報を記憶し、前記分類手段は、前記抽出手段にて、前記入力手段が受け付けた前記映像情報から前記分類情報記憶手段にて記憶された前記店舗更新分類情報が抽出されると、該映像情報を店舗更新情報に分類し、前記提供情報生成手段は、前記分類手段にて前記映像情報が前記店舗更新情報に分類されると、前記店舗情報記憶手段から、前記入力手段が受け付けた取得位置情報にて示される前記取得位置を示す前記地図位置情報と関連づけられた前記店舗提供情報を取得し、取得した店舗提供情報と、前記抽出手段にて抽出された前記映像特定情報および前記音声特定情報と、に基づいて前記店舗提供情報を更新あるいは作成し、前記重要度記憶手段から、前記抽出手段にて抽出された前記映像特定情報と関連づけられた前記パラメータを取得し、取得したパラメータに応じて、前記分類手段にて前記店舗更新情報に分類された映像情報および前記入力手段が受け付けた音声情報を加工する店舗情報生成手段、を含むことが望ましい。
【００１７】
また、本発明の情報収集方法は、前記重要度記憶手段は、前記映像特定情報と該映像特定情報の重要度を示すパラメータと、を前記映像特定情報ごとに記憶し、前記提供情報記憶手段は、店舗の前記地図情報上の所在地を示す前記地図位置情報と、該店舗に対応する店舗提供情報と、該店舗にて前記情報送信端末装置が取得した前記映像情報および前記音声情報を加工した前記映像情報および前記音声情報と、を前記地図位置情報ごとに記憶する店舗情報記憶手段、を含み、前記分類情報記憶手段は、店舗更新分類情報を記憶し、前記抽出ステップでは、前記情報加工サーバが、前記入力ステップにて受け付けられた音声情報から特定の音声特定情報を抽出し、前記分類ステップでは、前記情報加工サーバが、前記抽出ステップにて、前記入力ステップにて受け付けられた前記映像情報から前記分類情報記憶手段にて記憶された前記店舗更新分類情報が抽出されると、該映像情報を店舗更新情報に分類し、前記提供情報生成ステップでは、前記情報加工サーバが、前記分類ステップにて前記映像情報が前記店舗更新情報に分類されると、前記店舗情報記憶手段から、前記入力ステップにて受け付けられた取得位置情報にて示される前記取得位置を示す前記地図位置情報と関連づけられた前記店舗提供情報を取得し、取得した店舗提供情報と、前記抽出ステップにて抽出された前記映像特定情報および前記音声特定情報と、に基づいて前記店舗提供情報を更新あるいは作成し、前記重要度記憶手段から、前記抽出ステップにて抽出された前記映像特定情報と関連づけられた前記パラメータを取得し、取得したパラメータに応じて、前記分類ステップにて前記店舗更新情報に分類された映像情報および前記入力ステップにて受け付けられた音声情報を加工する店舗情報生成ステップ、を含むことが望ましい。
【００１８】
前記発明によれば、店舗提供情報が、映像特定情報および音声特定情報に基づいて更新あるいは生成される。これにより、店舗に応じた提供情報が自動更新あるいは自動生成可能になる。
【００１９】
また、本発明の情報収集システムは、前記分類情報記憶手段は、娯楽施設分類情報を記憶し、前記分類手段は、前記抽出手段にて、前記入力手段が受け付けた前記映像情報から前記分類情報記憶手段にて記憶された前記娯楽施設分類情報が抽出されると、該映像情報を娯楽施設情報に分類し、前記提供情報生成手段は、前記分類手段にて前記映像情報が前記娯楽施設情報に分類されると、前記重要度記憶手段から、前記抽出手段にて抽出された前記映像特定情報と関連づけられた前記パラメータを取得し、取得したパラメータに応じて、前記分類手段にて前記娯楽施設情報に分類された映像情報と前記入力手段が受け付けた音声情報と、を加工する娯楽施設情報生成手段、を含み、前記提供情報記憶手段は、前記娯楽施設情報生成手段にて加工された前記映像情報および前記音声情報を、前記入力手段が受け付けた前記取得位置情報と、関連づけて記憶する娯楽施設情報記憶手段、を含むことが望ましい。
【００２０】
また、本発明の情報収集方法は、前記提供情報記憶手段は、娯楽施設情報記憶手段、を含み、前記分類情報記憶手段は、娯楽施設分類情報を記憶し、前記分類ステップでは、前記情報加工サーバが、前記抽出ステップにて、前記入力ステップにて受け付けられた前記映像情報から前記分類情報記憶手段にて記憶された前記娯楽施設分類情報が抽出されると、該映像情報を娯楽施設情報に分類し、前記提供情報生成ステップでは、前記情報加工サーバが、前記分類ステップにて前記映像情報が前記娯楽施設情報に分類されると、前記重要度記憶手段から、前記抽出ステップにて抽出された前記映像特定情報と関連づけられた前記パラメータを取得し、取得したパラメータに応じて、前記分類ステップにて前記娯楽施設情報に分類された映像情報と前記入力ステップにて受け付けられた音声情報と、を加工する娯楽施設情報生成ステップ、を含み、前記提供情報記憶ステップでは、前記記憶装置が、前記娯楽施設情報生成ステップにて加工された前記映像情報および前記音声情報を、前記入力ステップにて受け付けられた前記取得位置情報と、関連づけて前記娯楽施設情報記憶手段に記憶する娯楽施設情報記憶ステップ、を含む情報収集システム。
【００２１】
前記発明によれば、映像情報および音声情報が、映像特定情報と関連づけられたパラメータに応じて加工される。これにより、映像情報に応じた提供情報が自動生成可能になる。
【００２２】
また、本発明の情報収集システムは、前記情報収集システムは、検索サーバ、をさらに含み、前記検索サーバは、前記提供情報記憶手段にて記憶された前記提供情報を取得する旨の取得要求を受け付ける検索入力手段と、前記重要度記憶手段にて前記パラメータと関連づけられた前記地図位置情報と、前記検索入力手段が過去に受け付けた取得要求の要求対象に該地図位置情報が含まれたアクセス回数と、を前記地図位置情報ごとに記憶し、前記重要度記憶手段にて前記パラメータと関連づけられた前記映像特定情報と、前記検索入力手段が過去に受け付けた取得要求の要求対象に前記映像特定情報が含まれたアクセス回数と、を前記映像特定情報ごとに記憶するアクセス回数記憶手段と、前記検索入力手段が受け付けた取得要求の要求対象に含まれる前記地図位置情報と、該地図位置情報と前記アクセス回数記憶手段にて関連づけられて記憶された前記アクセス回数と、に基づいて、前記重要度記憶手段にて該地図位置情報と関連づけられた前記パラメータの値を変更し、前記検索入力手段が受け付けた取得要求の要求対象に含まれる前記映像特定情報と、該映像特定情報と前記アクセス回数記憶手段にて関連づけられた前記アクセス回数と、に基づいて、前記重要度記憶手段にて該映像特定情報と関連づけられて記憶された前記パラメータの値を変更する重要度設定手段と、を含むことが望ましい。
【００２３】
また、本発明の情報収集方法は、前記情報収集システムは、前記重要度記憶手段にて前記パラメータと関連づけられた前記地図位置情報と、前記検索入力ステップにて過去に受け付けられた取得要求の要求対象に該地図位置情報が含まれたアクセス回数と、を前記地図位置情報ごとに記憶し、前記重要度記憶手段にて前記パラメータと関連づけられた前記映像特定情報と、前記検索入力ステップにて過去に受け付けられた取得要求の要求対象に前記映像特定情報が含まれたアクセス回数と、を前記映像特定情報ごとに記憶するアクセス回数記憶手段、を含む検索サーバ、をさらに含み、前記検索サーバが、前記提供情報記憶手段にて記憶された前記提供情報を取得する旨の取得要求を受け付ける検索入力ステップと、前記検索サーバが、前記検索入力ステップにて受け付けられた取得要求の要求対象に含まれる前記地図位置情報と、該地図位置情報と前記アクセス回数記憶手段にて関連づけられて記憶された前記アクセス回数と、に基づいて、前記重要度記憶手段にて該地図位置情報と関連づけられた前記パラメータの値を変更し、前記検索入力ステップにて受け付けられた取得要求の要求対象に含まれる前記映像特定情報と、該映像特定情報と前記アクセス回数記憶手段にて関連づけられた前記アクセス回数と、に基づいて、前記重要度記憶手段にて該映像特定情報と関連づけられて記憶された前記パラメータの値を変更する重要度設定ステップと、を含むことが望ましい。
【００２４】
前記発明によれば、重要度を示すパラメータが、取得要求の要求対象に地図位置情報あるいは映像特定情報が過去に含まれたアクセス回数にて変更される。これにより、ユーザからのアクセス回数に応じた提供情報が生成可能になる。
【発明の効果】
【００２５】
本発明によれば、ユーザに提供する提供情報の自動作成あるいは自動更新が可能になる。
【発明を実施するための最良の形態】
【００２６】
以下、本発明の実施例について図面を参照して説明する。
【００２７】
図１は、本発明の一実施例の情報収集システムを示したブロック図である。
【００２８】
図１において、情報収集システムは、情報送信端末装置１０とデータセンタ２０と情報受信端末装置３０とネットワーク網４０とを含む。
【００２９】
情報送信端末装置１０は、例えば、携帯電話であり、ＧＰＳ（Ｇｌｏｂａｌ Ｐｏｓｉｔｉｏｎｉｎｇ Ｓｙｓｔｅｍ）機能と周囲の景色を映像情報（静止画像情報あるいは動画像情報）として取得するビデオカメラと周囲の音を音声情報として取得するマイクと、を備えた端末装置である。
【００３０】
図２は、情報送信端末装置１０の構成を示したブロック図である。
【００３１】
図２において、情報送信端末装置１０は、ビデオカメラ２０１とマイク２０２とＧＰＳ部２０３と制御部２０４と送信部２０５とを備える。
【００３２】
ビデオカメラ２０１は、周囲の景色を映像情報（静止画像情報あるいは動画像情報）として取得し、取得した映像情報を制御部２０４に出力する。
【００３３】
マイク２０２は、周囲の音を音声情報として取得し、取得した音声情報を制御部２０４に出力する。
【００３４】
ＧＰＳ部２０３は、ＧＰＳ衛星からの電波を受け付け、受け付けた電波に基づいて、現在位置を特定する。
【００３５】
制御部２０４は、ビデオカメラ２０１から映像情報を受け付けると共に、マイク２０２から音声情報を受け付けると、ＧＰＳ部２０３から現在位置を、情報取得位置を示す位置情報として取得する。
【００３６】
制御部２０４は、ＧＰＳ部２０３から取得した位置情報を、ビデオカメラ２０１から受け付けた映像情報とマイク２０２から受け付けた音声情報とに関連づけた送信情報を作成し、作成した送信情報を送信部２０５に出力する。
【００３７】
また、ビデオカメラ２０１から映像情報を受け付け、マイクから音声情報を受け付けなかった場合、制御部２０４は、ＧＰＳ部２０３から取得した位置情報を、ビデオカメラ２０１から受け付けた映像情報と関連づけて、送信情報とする。
【００３８】
送信部２０５は、制御部２０４から送信情報を受け付け、受け付けた送信情報を、ネットワーク網４０を介して、データセンタ２０（具体的には加工サーバ２１）に送信する。
【００３９】
ネットワーク網４０は、例えば、インターネットであり、情報送信端末装置１０とデータセンタ２０と情報受信端末装置３０とに相互に接続されている。
【００４０】
データセンタ２０は、加工サーバ２１と記憶装置２２と検索サーバ２３とを含む。
【００４１】
図４は、記憶装置２２の構成を示したブロック図である。
【００４２】
図４において、記憶装置２２は、入出力部４０１と重要度記憶部４０６と提供情報記憶部４１０とを含む。
【００４３】
提供情報記憶部４１０は、情報受信端末装置３０のユーザに提供可能な提供情報を記憶する。
【００４４】
提供情報記憶部４１０は、地図情報記憶部４０２と屋外情報記憶部４０３と店舗情報記憶部４０４と娯楽情報記憶部４０５とを含む。
【００４５】
地図情報記憶部４０２は、地図情報を記憶する。
【００４６】
屋外情報記憶部４０３は、地図情報上の位置を示す位置情報と、該位置情報にて示される位置の周辺の屋外提供情報と、を位置情報ごとに関連づけた屋外情報データベースを記憶する。
【００４７】
図８は、屋外情報データベースの一例を示した図である。図８において、屋外情報データベース８００は、位置情報８０１と屋外提供情報８０２とを含む。
【００４８】
位置情報８０１は、例えば、住所であり、地図情報上の位置を示す情報である。
【００４９】
屋外提供情報８０２は、位置情報８０１にて示される位置で情報送信端末装置１０が取得した映像情報および音声情報を加工（例えば、ＭＰＥＧ（Moving Picture Experts Group）などで非可逆圧縮）した情報と、情報送信端末装置１０が映像情報および音声情報を取得した情報取得日時と、を関連づけた情報である。
【００５０】
店舗情報記憶部４０４は、店舗の地図情報上の所在地を示す位置情報と、該店舗に関する店舗提供情報と、を位置情報ごとに関連づけた店舗情報データベースを記憶する。
【００５１】
図７は、店舗情報データベースの一例を示した図である。図７において、店舗情報データベース７００は、位置情報７０１と見取り図７０２と販売商品表７０３と補足情報７０４とを含む。
【００５２】
位置情報７０１は、例えば、住所であり、店舗の地図情報上の所在地を示した情報である。
【００５３】
見取り図７０２は、店舗の見取り図を示した情報（例えば、静止画像情報）である。
【００５４】
販売商品表７０３は、該店舗で販売されている商品の商品名（レストラン等でのメニューを含む）と該商品の販売価格が、該商品名ごとに関連づけられた情報である。
【００５５】
補足情報７０４は、例えば、店舗の窓等から見える夜景の動画像情報であり、該店舗内で情報送信端末装置１０が取得した映像情報および音声情報を加工した情報である。
【００５６】
見取り図７０２、販売商品表７０３および補足情報７０４は、店舗提供情報である。
【００５７】
娯楽情報記憶部４０５は、例えば、サッカー場あるいは演劇場などの、娯楽施設の地図情報上の所在地を示す位置情報と、該娯楽施設に関する娯楽提供情報と、を位置情報ごとに関連づけた娯楽情報データベースを記憶する。
【００５８】
図９は、娯楽情報データベースの一例を示した図である。図９において、娯楽情報データベース９００は、位置情報９０１と娯楽提供情報９０２とを記憶する。
【００５９】
位置情報９０１は、例えば、住所であり、娯楽施設（例えば、サッカー場）の地図情報上の所在地を示した情報である。
【００６０】
娯楽提供情報９０２は、娯楽施設内で情報送信端末装置１０が取得した映像情報および音声情報を加工した情報である。
【００６１】
重要度記憶部４０６は、提供情報の重要度を決定するための物体の名称あるいは位置情報からなる重要度因子と該重要度因子の重要度を示すパラメータと、を重要度因子ごとに関連づけた重要度データベースを記憶する。
【００６２】
図１０は、重要度データベースの一例を示した図である。図１０において、重要度データベース１０００は、重要度因子１００１と重要度１００２とを含む。
【００６３】
重要度因子１００１は、提供情報の重要度を決定するための物体の名称あるいは位置情報である。
【００６４】
重要度１００２は、例えば、１ないし１０の数値であり、該重要度因子１００１の重要度（例えば、１０が最も重要度が高く、１が最も重要度が低いとする）を表わすパラメータである。
【００６５】
加工サーバ２１は、情報送信端末装置１０から送信情報を受け付け、受け付けた送信情報に基づいて、提供情報を作成する。
【００６６】
また、加工サーバ２１は、作成した提供情報を記憶装置２２に出力する。
【００６７】
図３は、加工サーバ２１の構成を示したブロック図である。
【００６８】
図３において、加工サーバ２１は、入力部３００と認識部３０１と判断部３０２と分類情報記憶部３０３と時計部３０７と出力部３０８と提供情報生成部３１０とを含む。
【００６９】
入力部３００は、情報送信端末装置１０（具体的には、送信部２０５）からネットワーク網４０を介して送信情報を受け付け、受け付けた送信情報を認識部３０１に出力する。
【００７０】
時計部３０７は、現在の日時を示す。
【００７１】
認識部３０１は、入力部３００から送信情報を受け付け、受け付けた送信情報に含まれる映像情報から特定の映像特定情報を抽出する。
【００７２】
例えば、認識部３０１は、入力部３００から受け付けた送信情報に含まれる映像情報に画像認識を行うことによって、映像情報に映し出されている被写体（例えば、道路）の名称、該被写体の位置および該被写体の大きさ（例えば、道路の幅）を特定する。また、認識部３０１は、被写体に記載されている文字、例えば、メニュー表、を文字情報として抽出する。
【００７３】
また、認識部３０１は、入力部３００から受け付けた送信情報に含まれる音声情報から特定の音声特定情報を抽出する。
【００７４】
例えば、認識部３０１は入力部３００から受け付けた送信情報に含まれる音声情報に音声認識を行うことによって、音声情報に含まれる人間の会話を文字情報として抽出する。
【００７５】
さらに、認識部３０１は、入力部３００から送信情報を受け付けると、時計部３０７から現在の日時を情報取得日時として取得する。
【００７６】
認識部３０１は、入力部３００から受け付けた送信情報と、送信情報に含まれる映像情報および音声情報から抽出した映像特定情報および音声特定情報と、時計部３０７から取得した情報取得日時と、を関連づけた総合情報を作成する。
【００７７】
認識部３０１は、作成された総合情報を判断部３０２に出力する。
【００７８】
分類情報記憶部３０３は、分類情報データベースを記憶する。
【００７９】
分類情報データベースは、情報送信端末装置１０にて取得された映像情報および音声情報を、屋外（例えば、道路あるいは公園）で取得された屋外取得情報、店舗内（例えば、レストラン）で取得された店舗取得情報、あるいは、娯楽施設内（例えば、サッカー場あるいは演劇場）で取得された娯楽取得情報、のいずれかに分類するためのデータベースである。
【００８０】
図６は、分類情報データベースの一例を示した図である。図６において、分類情報データベース６００は、特徴物体６０１と判別子６０２とを含む。
【００８１】
特徴物体６０１は、店舗取得情報、娯楽取得情報あるいは屋外取得情報、に特徴的な物体の名称である。
【００８２】
判別子６０２は、特徴物体６０１が店舗取得情報、娯楽取得情報あるいは屋外取得情報のいずれに特徴的であるかを示す情報である。
【００８３】
判断部３０２は、認識部３０１から総合情報を受け付けると、受け付けた総合情報に含まれる映像特定情報と、分類情報記憶部３０３に記憶された分類情報データベースと照合することによって、認識部３０１から受け付けた総合情報を店舗取得情報、娯楽取得情報あるいは屋外取得情報のいずれかに分類する。
【００８４】
例えば、判断部３０２は、認識部３０１から総合情報を受け付けると、分類情報記憶部３０３から、認識部３０１から受け付けた総合情報に含まれる被写体の名称と一致している特徴物体６０１と関連づけられている判別子６０２を取得する。判断部３０２は、分類情報記憶部３０３から取得した判別子６０２に基づいて、認識部３０１から受け付けた総合情報（具体的には、総合情報に含まれる映像情報）を特定の種別（店舗取得情報、娯楽取得情報あるいは屋外取得情報のいずれか）に分類する。
【００８５】
提供情報生成部３１０は、認識部３０１から受け付けた総合情報と、判断部３０２にて分類された特定の種別に基づいて、提供情報を作成あるいは更新する。
【００８６】
提供情報生成部３１０は、屋外情報生成部３０４と店舗情報生成部３０５と娯楽施設生成部３０６とを含む。
【００８７】
総合情報が屋外取得情報に分類された場合、判断部３０２は総合情報を屋外情報生成部３０４に出力し、また、総合情報が店舗取得情報に分類された場合、判断部３０２は総合情報を店舗情報生成部３０５に出力し、総合情報が娯楽取得情報に分類された場合、判断部３０２は総合情報を娯楽情報生成部３０６に出力する。
【００８８】
屋外情報生成部３０４は、判断部３０２から総合情報を受け付けると、地図情報記憶部４０２から、判断部３０２から受け付けた総合情報に含まれる位置情報の周辺の地図情報を取得する。
【００８９】
屋外情報生成部３０４は、判断部３０２から受け付けた総合情報に含まれる位置情報および映像特定情報（被写体の名称、被写体の位置および被写体の大きさ）と、地図情報記憶部４０２から取得した周辺の地図情報とに基づいて、地図情報に更新すべき箇所があるか否かの判断を行う。
【００９０】
例えば、総合情報に含まれる位置情報、被写体の名称、被写体の位置および被写体の大きさとから特定される道路が、地図情報に記載されていない場合など、位置情報、被写体の名称、被写体の位置および被写体の大きさとから特定される周囲の景色と、地図情報記憶部４０２から取得した周辺の地図情報地図情報と、に相異がある場合、地図情報に更新すべき箇所があると判断する。
【００９１】
地図情報に更新すべき箇所があると判断した場合、屋外情報生成部３０４は、位置情報、被写体の名称、被写体の位置および被写体の大きさとに基づいて、地図情報を更新し、更新した地図情報を出力部３０８および入出力部４０１を介して地図情報記憶部４０２に出力する。
【００９２】
地図情報記憶部４０２は、屋外情報生成部３０４から出力部３０８および入出力部４０１を介して地図情報を受け付け、受け付けた地図情報を記憶する。
【００９３】
また、屋外情報生成部３０４は、重要度記憶部４０６から、判断部３０２から受け付けた総合情報に含まれる位置情報を含む重要度因子と関連づけられたパラメータを取得する。
【００９４】
屋外情報生成部３０４は、重要度記憶部４０６から取得したパラメータに基づいて、判断部３０２から受け付けた総合情報に含まれる映像情報および音声情報の圧縮率を決定し、決定された圧縮率で映像情報および音声情報を圧縮する。
【００９５】
ここで、重要度は情報受信端末装置３０のユーザからの情報取得の利用頻度に基づいて決定される。すなわち、情報取得の利用頻度の多い位置情報の映像情報および音声情報は、ユーザに見易くするため、きれいな映像情報および音声情報を提供できるように圧縮率を低く設定し、一方、情報取得の利用頻度の少ない場所の映像情報および音声情報は、記憶装置２２の記憶容量を確保するために圧縮率を高く設定する。
【００９６】
屋外情報生成部３０４は、映像情報および音声情報を圧縮すると、圧縮された映像情報および音声情報と情報取得日時とを関連づけた屋外提供情報を作成し、作成された屋外提供情報と、判断部３０２から受け付けた総合情報に含まれる位置情報とを関連づけて、出力部３０８および入出力部４０１を介して屋外情報記憶部４０３に出力する。
【００９７】
屋外情報記憶部４０３は、屋外情報生成部３０４から出力部３０８および入出力部４０１を介して互いに関連づけられた屋外提供情報と位置情報を受け付け、受け付けた互いに関連づけられた屋外提供情報と位置情報とを記憶する。
【００９８】
店舗情報生成部３０５は、判断部３０２から総合情報を受け付けると、店舗情報記憶部４０４から、判断部３０２から受け付けた総合情報に含まれる位置情報と関連づけられた見取り図７０２および販売商品表７０３を取得する。
【００９９】
店舗情報生成部３０５は、判断部３０２から受け付けた総合情報に含まれる位置情報および映像特定情報（被写体の名称、被写体の位置および被写体の大きさ）と、店舗情報記憶部４０４から取得した見取り図７０２とに基づいて、店舗情報記憶部４０４から取得した見取り図７０２に更新あるいは作成すべき箇所があるか否かの判断を行う。
【０１００】
例えば、判断部３０２から受け付けた総合情報に含まれる位置情報、被写体の名称、被写体の位置および被写体の大きさから特定される壁が見取り図７０２に記載されていない場合など、総合情報に含まれる位置情報、被写体の名称、被写体の位置および被写体の大きさから特定される周囲の景色と、店舗情報記憶部４０４から取得した見取り図７０２と、に相異がある場合、見取り図７０２に更新すべき箇所があると判断する。
【０１０１】
更新あるいは作成すべき箇所があると判断された場合、店舗情報生成部３０５は、見取り図７０２を更新あるいは作成する。
【０１０２】
見取り図７０２は地図情報と異なり、あらかじめ見取り図７０２を記憶装置２２に記憶させていないため、見取り図７０２が作成されていないあるいは一部作成されていない場合が起こり得る。この場合、店舗情報生成部３０５は、総合情報に含まれる位置情報、被写体の名称、被写体の位置および被写体の大きさに基づいて、見取り図７０２を作成する。
【０１０３】
図１５は、見取り図７０２の作成を説明するための概念図である。
【０１０４】
図１５において、店舗情報記憶部４０４から取得した見取り図（Ｂの太線部）に、ビデオカメラ２０１にて映し出された被写体の名称、被写体の位置および被写体の大きさにて特定される店舗の見取り図（Ｃの太線部）を加え、見取り図を更新（Ｄの太線部）する。
【０１０５】
また、店舗情報生成部３０５は、判断部３０２から受け付けた総合情報に含まれる文字情報（被写体の名称、被写体に記述されている文字および音声情報に音声認識を行うことによって作成される文字情報）と店舗情報記憶部４０４から取得した販売商品表７０３とに基づいて、販売商品表７０３に更新あるいは作成すべき箇所があるか否かの判断を行う。
【０１０６】
例えば、被写体に記述されている文字に販売商品表７０３に記載されていないメニューがある場合など、総合情報に含まれる文字情報（被写体の名称、被写体に記述されている文字および音声情報に音声認識を行うことによって作成される文字情報）から作成される販売商品表と、店舗情報記憶部４０４から取得した販売商品表７０３とに相異がある場合店舗情報生成部３０５は、販売商品表７０３に更新すべき箇所があると判断する。
【０１０７】
更新あるいは作成すべき箇所があると判断された場合、店舗情報生成部３０５は、見販売商品表７０３を更新あるいは作成する。
【０１０８】
例えば、商品表７０３に「ビール」がなく、文字情報に「ビールください。５００円になります。」が含まれる場合、店舗情報生成部３０５は、商品名「ビール」と該商品の価格「５００円」関連づけて販売商品表７０３を追加する。
【０１０９】
また、店舗情報生成部３０５は、重要度記憶部４０６から、認識部３０１から受け付けた総合情報に含まれる被写体の名称を含む重要度因子と関連づけられたパラメータを取得し、取得したパラメータに基づいて、映像情報および音声情報の圧縮率を決定し、決定された圧縮率で映像情報および音声情報を圧縮する。
【０１１０】
例えば、「夜景」が重要度の高い情報（重要度１００２「１０」）と設定され、「天井」が重要度の低い情報（重要度１００２「１」）と設定され、総合情報に含まれる映像情報（動画像情報）が初めの２分間「夜景」を映し、後の１分間「天井」を映していた場合、店舗情報生成部３０５は、初めの２分間の動画像情報の圧縮率を低く設定し、後の１分間の動画像情報の圧縮率を高く設定する。
【０１１１】
店舗情報生成部３０５は、圧縮された映像情報および音声情報に情報取得日時を関連づけた補足情報を作成する。
【０１１２】
店舗情報生成部３０５は、作成あるいは更新された見取り図７０２と販売商品表７０３と補足情報７０４とを関連づけた店舗提供情報を作成し、作成した店舗提供情報と、判断部３０２から受け付けた総合情報に含まれる位置情報と、を関連づけて、出力部３０８および入出力部４０１を介して店舗情報記憶部４０４に出力する。
【０１１３】
店舗情報記憶部４０４は、店舗情報生成部３０５から、出力部３０８および入出力部４０１を介して互いに関連づけられた店舗提供情報と位置情報とを受け付け、受け付けた互いに関連づけられた店舗提供情報と位置情報とを記憶する。
【０１１４】
娯楽情報生成部３０６は、判断部３０２から総合情報を受け付けると、娯楽情報記憶部４０５から、判断部３０２から受け付けた総合情報に含まれる被写体の名称を含む重要度因子と関連づけられて記憶されたパラメータを取得する。
【０１１５】
娯楽情報生成部３０６は、娯楽情報記憶部４０５から取得したパラメータに基づいて、判断部３０２から受け付けた総合情報に含まれる映像情報および音声情報の圧縮率を決定し、決定した圧縮率で映像情報および音声情報の圧縮を行う。
【０１１６】
娯楽情報生成部３０６は、映像情報および音声情報を圧縮すると、圧縮した映像情報および音声情報と情報取得日時とを関連づけた娯楽提供情報を作成し、作成した娯楽提供情報と、判断部３０２から受け付けた総合情報に含まれる位置情報とを関連づけて、出力部３０８および入出力部４０１を介して娯楽情報記憶部４０５に出力する。
【０１１７】
娯楽情報記憶部４０５は、娯楽情報生成部３０６から、出力部３０８および入出力部４０１を介して互いに関連づけられた位置情報と娯楽提供情報とを受け付け、受け付けた互いに関連づけられた位置情報と娯楽提供情報とを記憶する。
【０１１８】
情報受信端末装置３０は、データセンタ２０（具体的には、検索サーバ２３）にネットワーク網４０を介して提供情報に含まれる情報を取得する旨の情報取得要求を送信し、送信した情報取得要求に該当する要求該当情報をデータセンタ２０（具体的には、検索サーバ２３）から受け付ける。
【０１１９】
検索サーバ２３は、情報受信端末装置３０からネットワーク網４０を介して情報取得要求を受け付けると、記憶装置２２から、情報受信端末装置３０から受け付けた情報取得要求に該当する要求該当情報を取得する。
【０１２０】
検索サーバ２３は、情報受信端末装置３０から要求該当情報を取得すると、取得した要求該当情報を情報受信端末装置３０にネットワーク網４０を介して送信する。
【０１２１】
図５は、検索サーバ２３の構成を示したブロック図である。
【０１２２】
図５において、検索サーバ２３は、検索入出力部５０１と検索部５０２と重要度設定部５０３とアクセス回数記憶部５０４と重要基準記憶部５０５を含む。
【０１２３】
検索入出力部５０１は、情報受信端末装置３０から情報取得要求を受け付け、受け付けた情報取得要求を検索部５０２に出力する。
【０１２４】
検索部５０２は、検索入出力部５０１から情報取得要求を受け付け、受け付けた情報取得要求に基づいて、記憶装置２２に含まれる提供情報記憶部４１０から、情報取得要求に該当する要求該当情報を取得する。ここで、例えば、地図情報記憶部４０２と店舗情報記憶部４０４とからそれぞれ情報を取得するなど、複数の情報を取得した場合、取得した複数の情報を関連づけた情報を要求該当情報とする。
【０１２５】
検索部５０２は、地図情報記憶部４０２と屋外情報記憶部４０３と店舗情報記憶部４０４と娯楽情報記憶部４０５とから取得した要求該当情報を検索入出力部５０１およびネットワーク網４０を介して、情報受信端末装置３０に送信する。
【０１２６】
例えば、第一の情報取得要求として「Ａ区の地図およびＡ区でパスタの食べられる夜景の見えるレストラン」が受け付けられた場合、検索部５０２は、受け付けた情報取得要求に含まれる「Ａ区の地図」を地図情報記憶部４０２から取得する。
【０１２７】
また、検索部５０２は、店舗情報記憶部４０４から、受け付けた情報取得要求に含む「Ａ区」を含む位置情報７０１と関連づけられた販売商品表７０３に「パスタ」が含まれ、かつ、受け付けた情報取得要求に含む「Ａ区」を含む位置情報７０１と関連づけられた補足情報７０４に夜景の映像情報が含まれる、位置情報７０１を検索し、検索された位置情報７０１および該位置情報７０１と関連づけられた見取り図７０２および販売商品表７０３を取得する。
【０１２８】
検索部５０２は、地図情報記憶部４０２から取得した「Ａ区の地図」および店舗情報記憶部４０４から取得した位置情報７０１、見取り図７０２および販売商品表７０３を関連づけた第一の要求該当情報を作成し、作成した第一の要求該当情報を、検索入出力部５０１およびネットワーク網４０を介して情報受信端末装置３０に送信する。
【０１２９】
また、情報受信端末装置３０から第二の情報取得要求として「夜景の映像がみたい」を受け付けた場合、検索部５０２は、店舗情報記憶部４０４から、第一の要求該当情報に含む位置情報７０１と関連づけられた補足情報７０４に含まれる夜景の映像情報を第二の要求該当情報として取得する。
【０１３０】
情報受信端末装置３０は、店舗情報記憶部４０４から取得した第二の要求該当情報を検索入出力部５０１およびネットワーク網４０を介して情報受信端末装置３０に送信する。
【０１３１】
また、検索部５０２は、検索入出力部５０１から受け付けた情報取得要求を重要度設定部５０３に出力する。
【０１３２】
アクセス回数記憶部５０４は、提供情報の重要度を決定するための物体の名称あるいは位置情報からなる重要度因子と、該重要度因子が検索サーバ２３にて受け付けられた情報取得要求に含まれた回数を示すアクセス回数と、を重要度因子ごとに関連づけたアクセス回数データベースを記憶する。
【０１３３】
図１１aは、アクセス回数データベースの一例を示した図である。図１１aにおいて、アクセス回数データベース１１００は、重要度因子１１０１とアクセス回数１１０２とを含む。
【０１３４】
重要度因子１１０１は、提供情報の重要度を決定するための物体の名称あるいは位置情報である。
【０１３５】
アクセス回数１１０２は、該重要度因子１１０１が情報受信端末装置３０から検索サーバ２３が受け付けた情報取得要求に含まれた回数を示す数値情報である。
【０１３６】
重要度設定部５０３は、検索部５０２から情報取得要求を受け付け、受け付けた情報取得要求に含まれる物体の名称および位置情報を取得する。
【０１３７】
重要度設定部５０３は、アクセス回数記憶部５０４から、検索部５０２から受け付けた情報取得要求に含まれる物体の名称および位置情報と関連づけられたアクセス回数を取得し、取得されたアクセス回数に１を加える。
【０１３８】
重要度設定部５０３は、アクセス回数記憶部５０４から取得したアクセス回数に１を加えたアクセス回数に基づいて、検索部５０２から受け付けた情報取得要求に含まれる物体の名称あるいは位置情報の重要度を決定する。
【０１３９】
物体の名称あるいは位置情報の重要度を決定する方法は、例えば、以下のような方法である。
【０１４０】
重要基準記憶部５０５は、重要度と該重要度を決定する基準アクセス回数と、を重要度ごとに関連づけた重要基準データベースを記憶する。
【０１４１】
図１１ｂは、重要基準データベースの一例を示した図である。図１１ｂにおいて、重要基準データベース１１５１は、重要度１１５１と基準アクセス回数１１５２とを含む。
【０１４２】
重要度１１５１は、例えば、１ないし１０の数値であり、該重要度因子１００１の重要度（１０が最も重要度が高く、１が最も重要度が低い）を表わすパラメータである。
【０１４３】
基準アクセス回数１１５２は、該重要度を決定する基準となるアクセス回数である。
【０１４４】
重要度設定部５０３は、重要基準記憶部５０５に記憶された基準アクセス回数１１５２とアクセス回数記憶部５０４から取得したアクセス回数に１を加えたアクセス回数と、に一致している値があるか否かの判断を行う。
【０１４５】
一致している値があると判断された場合、重要度設定部５０３は、重要基準記憶部５０５から該基準アクセス回数１１５２と関連づけられている重要度１１５１を取得する。
【０１４６】
重要度設定部５０３は、重要基準記憶部５０５から取得した重要度１１５１を、検索部５０２から受け付けた情報取得要求に含まれる物体の名称あるいは位置情報と、関連づけて検出入出力部５０１および入出力部４０１を介して重要度記憶部４０６に出力する。
【０１４７】
重要度記憶部４０６は、重要度設定部５０３から検出入出力部５０１および入出力部４０１を介して互いに関連づけられた重要度と物体の名称あるいは位置情報とを受け付け、受け付けた互いに関連づけられた重要度と物体の名称あるいは位置情報とを記憶する。
【０１４８】
重要度設定部５０３は、検索部５０２から受け付けた情報取得要求に含まれる物体の名称あるいは位置情報とアクセス回数記憶部５０４から取得したアクセス回数に１を加えたアクセス回数とを関連づけてアクセス情報記憶部５０４に出力する。
【０１４９】
アクセス情報記憶部５０４は、重要度設定部５０３から互いに関連づけられた物体の名称あるいは位置情報とアクセス回数とを受け付け、受け付けた重要度設定部５０３から互いに関連づけられた物体の名称あるいは位置情報とアクセス回数とを記憶する。
【０１５０】
次に動作を説明する。
【０１５１】
図１２は、本実施例の情報収集システムの動作を説明するためのフローチャートである。具体的には、情報送信端末装置１０が映像情報を送信し、データセンタが提供情報を作成あるいは更新し、作成あるいは更新された提供情報を加工し、記憶するまでの動作を説明するためのフローチャートである。
【０１５２】
ステップ１２０１では、ビデオカメラ２０１が、周囲の景色を映像情報（静止画像情報あるいは動画像情報）として取得し、取得した映像情報を制御部２０４に出力する。
【０１５３】
マイク２０２は、周囲の音を音声情報として取得し、取得した音声情報を制御部２０４に出力する。その後、ステップ１２０２が実行される。
【０１５４】
ステップ１２０２では、制御部２０４が、ビデオカメラ２０１から映像情報を受け付けると共に、マイク２０２から音声情報を受け付けると、ＧＰＳ部２０３から現在位置を示す位置情報を取得する。
【０１５５】
制御部２０４は、ＧＰＳ部２０３から取得した位置情報を、ビデオカメラ２０１から受け付けた映像情報、および、マイク２０２から受け付けた音声情報に、関連づけた送信情報を作成し、作成された送信情報を送信部２０５に出力する。
【０１５６】
送信部２０５は、制御部２０４から送信情報を受け付け、受け付けた送信情報を、ネットワーク網４０を介して、データセンタ２０（具体的には、加工サーバ２１）に送信する。その後、ステップ１２０３が実行される。
【０１５７】
ステップ１２０３では、入力部３００が、情報送信端末装置１０（具体的には、送信部２０５）からネットワーク網４０を介して送信情報を受け付け、受け付けた送信情報を認識部３０１に出力する。その後、ステップ１２０４が実行される。
【０１５８】
ステップ１２０４では、認識部３０１が、入力部３００から送信情報を受け付け、受け付けた送信情報に含まれる映像情報から映像特定情報（被写体の名称、該被写体の位置および該被写体の大きさ）を抽出する。また、認識部３０１は、被写体に記載されている文字を文字情報として抽出する。
【０１５９】
また、認識部３０１は、入力部３００から受け付けた送信情報に含まれる音声情報から音声特定情報を抽出する。
【０１６０】
認識部３０１は、入力部３００から受け付けた送信情報、抽出された映像特定情報および音声特定情報と、時計部３０７から取得した情報取得日時と、を関連づけた総合情報を作成し、作成した総合情報を判断部３０２に出力する。その後、ステップ１２０５が実行される。
【０１６１】
ステップ１２０５では、判断部３０２が、認識部３０１から総合情報を受け付けると、分類情報記憶部３０３から、認識部３０１から受け付けた総合情報に含まれる被写体の名称と一致している特徴物体６０１と関連づけてられている判別子６０２を取得する。
【０１６２】
判断部３０２は、分類情報記憶部３０３から取得した判別子６０２に基づいて、認識部３０１から受け付けた総合情報を店舗取得情報、娯楽取得情報あるいは屋外取得情報のいずれかに分類する。
【０１６３】
総合情報が屋外取得情報に分類された場合、ステップ１２０６が実行され、総合情報が店舗取得情報に分類された場合、ステップ１２１１が実行され、総合情報が娯楽取得情報に分類された場合、ステップ１２１８が実行される。
【０１６４】
ステップ１２０６では、判断部３０２が、総合情報を屋外情報生成部３０４に出力する。その後、ステップ１２０７が実行される。
【０１６５】
ステップ１２０７では、屋外情報生成部３０４が、判断部３０２から総合情報を受け付けると、地図情報記憶部４０２から、判断部３０２から受け付けた総合情報に含まれる位置情報にて示される情報取得位置の周辺の地図情報を取得する。
【０１６６】
屋外情報生成部３０４は、判断部３０２から受け付けた総合情報に含まれる位置情報と被写体の名称、被写体の位置および被写体の大きさと、地図情報記憶部４０２から取得した周辺の地図情報とに基づいて、地図情報に更新すべき箇所があるか否かの判断を行う。
【０１６７】
地図情報に更新すべき箇所があると判断された場合、ステップ１２０８が実行され、地図情報に更新すべき箇所がないと判断された場合、ステップ１２０９が実行される。
【０１６８】
ステップ１２０８では、屋外情報生成部３０４が、位置情報と被写体の名称、被写体の位置および被写体の大きさとに基づいて、地図情報を更新し、更新された地図情報を出力部３０８および入出力部４０１を介して地図情報記憶部４０２に出力する。
【０１６９】
地図情報記憶部４０２は、屋外情報生成部３０４から出力部３０８および入出力部４０１を介して地図情報を受け付け、受け付けた地図情報を記憶する。その後、ステップ１２０９が実行される。
【０１７０】
ステップ１２０９では、屋外情報生成部３０４が、重要度記憶部４０６から、判断部３０２から受け付けた総合情報に含まれる位置情報を含む重要度因子と関連づけられたパラメータを取得する。
【０１７１】
屋外情報生成部３０４は、重要度記憶部４０６から取得した重要度に基づいて、判断部３０２から受け付けた総合情報に含まれる映像情報および音声情報の圧縮率を決定し、決定された圧縮率で映像情報および音声情報を圧縮する。その後、ステップ１２１０が実行される。
【０１７２】
ステップ１２１０では、屋外情報生成部３０４が、圧縮した映像情報および音声情報と情報取得日時とを関連づけた屋外提供情報を作成し、作成した屋外提供情報と、判断部３０２から受け付けた総合情報に含まれる位置情報とを関連づけて、出力部３０８および入出力部４０１を介して屋外情報記憶部４０３に出力する。
【０１７３】
屋外情報記憶部４０３は、屋外情報生成部３０４から出力部３０８および入出力部４０１を介して互いに関連づけられた屋外提供情報と位置情報とを受け付け、受け付けた互いに関連づけられた屋外提供情報と位置情報とを記憶する。その後、ステップ１２２１が実行される。
【０１７４】
ステップ１２１１では、判断部３０２が、総合情報を店舗情報生成部３０５に出力する。その後、ステップ１２１２が実行される。
【０１７５】
ステップ１２１２では、店舗情報生成部３０５が、判断部３０２から総合情報を受け付けると、店舗情報記憶部４０４から、判断部３０２から受け付けた総合情報に含まれる位置情報と関連づけられた見取り図７０２および販売商品表７０３を取得する。
【０１７６】
店舗情報生成部３０５は、判断部３０２から受け付けた総合情報に含まれる情報取得位置と被写体の大きさおよび位置と、店舗情報記憶部４０４から取得した見取り図７０２とに基づいて、店舗情報記憶部４０４から取得した見取り図７０２に更新あるいは作成すべき箇所があるか否かの判断を行う。
【０１７７】
見取り図７０２に更新あるいは作成すべき箇所があると判断された場合、ステップ１２１３が実行され、見取り図７０２に更新あるいは作成すべき箇所がないと判断された場合、ステップ１２１４が実行される。
【０１７８】
ステップ１２１３では、店舗情報生成部３０５が、見取り図７０２を更新あるいは作成する。その後、ステップ１２１４が実行される。
【０１７９】
ステップ１２１４では、店舗情報生成部３０５が、判断部３０２から受け付けた総合情報に含まれる文字情報（被写体の名称、被写体に記述されている文字および音声情報に音声認識を行うことによって作成される文字情報）と店舗情報記憶部４０４から取得した販売商品表７０３とに基づいて、販売商品表７０３に更新あるいは作成すべき箇所があるか否かの判断を行う。
【０１８０】
販売商品表７０３に更新あるいは作成すべき箇所があると判断された場合、ステップ１２１５が実行され、販売商品表７０３に更新あるいは作成すべき箇所がないと判断された場合、ステップ１２１６が実行される。
【０１８１】
ステップ１２１５では、店舗情報生成部３０５が、販売商品表７０３を更新あるいは作成する。その後、ステップ１２１６が実行される。
【０１８２】
ステップ１２１６では、店舗情報生成部３０５が、重要度記憶部４０６から、認識部３０１から受け付けた総合情報に含まれる被写体の名称を含む重要度因子と関連づけられたパラメータを取得し、取得したパラメータに基づいて、映像情報および音声情報の圧縮率を決定し、決定された圧縮率で映像情報および音声情報を圧縮する。
【０１８３】
店舗情報生成部３０５は、圧縮された映像情報および音声情報に情報取得日時を関連づけた補足情報を作成する。その後、ステップ１２１７が実行される。
【０１８４】
ステップ１２１７では、店舗情報生成部３０５が、作成あるいは更新された見取り図７０２と販売商品表７０３と補足情報７０４とを関連づけた店舗提供情報を作成し、作成した店舗提供情報と、判断部３０２から受け付けた総合情報に含まれる位置情報とを関連づけて、出力部３０８および入出力部４０１を介して店舗情報記憶部４０４に出力する。
【０１８５】
店舗情報記憶部４０４は、店舗情報生成部３０５から、出力部３０８および入出力部４０１を介して互いに関連づけられた店舗提供情報と位置情報とを受け付け、受け付けた互いに関連づけられた店舗提供情報と位置情報とを記憶する。その後、ステップ１２２１が実行される。
【０１８６】
ステップ１２１８では、判断部３０２が、総合情報を娯楽情報生成部３０６に出力する。その後、ステップ１２１９が実行される。
【０１８７】
ステップ１２１９では、娯楽情報生成部３０６が、判断部３０２から総合情報を受け付けると、娯楽情報記憶部４０５から、判断部３０２から受け付けた総合情報に含まれる被写体の名称を含む重要度因子と関連づけられて記憶されたパラメータを取得する。
【０１８８】
娯楽情報生成部３０６は、娯楽情報記憶部４０５から取得したパラメータに基づいて、判断部３０２から受け付けた総合情報に含まれる映像情報および音声情報の圧縮率を決定し、決定された圧縮率で映像情報および音声情報を圧縮する。その後、ステップ１２２０が実行される。
【０１８９】
ステップ１２２０では、娯楽情報生成部３０６が、圧縮された映像情報および音声情報と情報取得日時とを関連づけた娯楽提供情報を作成し、作成された娯楽提供情報と、判断部３０２から受け付けた総合情報に含まれる位置情報とを関連づけて、出力部３０８および入出力部４０１を介して娯楽情報記憶部４０５に出力する。
【０１９０】
娯楽情報記憶部４０５は、娯楽情報生成部３０６から出力部３０８および入出力部４０１を介し互いに関連づけられた位置情報と娯楽提供情報とを受け付け、受け付けた互いに関連づけられた位置情報と娯楽提供情報とを記憶する。その後、ステップ１２２１が実行される。
【０１９１】
ステップ１２２１では、加工サーバ２１が動作を終了する。
【０１９２】
図１３は、本実施例の情報収集システムの動作を説明するためのフローチャートである。具体的には、情報送信端末装置３０が情報取得要求を送信し、送信した情報取得要求に該当する該当情報を受け付けるまでの動作を説明するためのフローチャートである。
【０１９３】
ステップ１３０１では、情報受信端末装置３０が、ネットワーク網４０を介して、検索サーバ２３に情報取得要求を送信する。その後、ステップ１３０２が実行される。
【０１９４】
ステップ１３０２では、検索サーバ２３（具体的には、検索入出力部５０１）が、情報受信端末装置３０からネットワーク網４０を介して情報取得要求を受け付け、受け付けた情報取得要求を検索部５０２に出力する。その後、ステップ１３０３が実行される。
【０１９５】
ステップ１３０３では、検索部５０２が、検索入出力部５０１から情報取得要求を受け付け、受け付けた情報取得要求に基づいて、記憶装置２２に含まれる提供情報記憶部４１０から、情報取得要求に該当する要求該当情報を取得する。ここで、例えば、地図情報記憶部４０２と店舗情報記憶部４０４とからそれぞれ情報を取得するなど、複数の情報を取得した場合、取得した複数の情報を関連づけた情報を要求該当情報とする。その後、ステップ１３０４が実行される。
【０１９６】
ステップ１３０４では、検索部５０２が、提供情報記憶部４１０から取得した要求該当情報を検索入出力部５０１およびネットワーク網４０を介して、情報受信端末装置３０に送信する。その後、ステップ１３０５が実行される。
【０１９７】
ステップ１３０５では、情報受信端末装置３０が、検索部５０２から、検索入出力部５０１およびネットワーク網４０を介して要求該当情報を受け付ける。
【０１９８】
図１４は、本実施例の情報収集システムの動作を説明するためのフローチャートである。具体的には、検索部５０２が情報取得要求を重要度設定部５０３に出力し、重要度記憶部４０６が重要度を示すパラメータを変更するまでの動作を説明するためのフローチャートである。
【０１９９】
ステップ１４０１では、検索部５０２が、検索入出力部５０１から受け付けた情報取得要求を重要度設定部５０３に出力する。その後、ステップ１４０２が実行される
ステップ１４０２では、重要度設定部５０３が、検索部５０２から情報取得要求を受け付け、受け付けた情報取得要求に含まれる物体の名称あるいは位置情報を取得する。その後、ステップ１４０３が実行される。
【０２００】
ステップ１４０３では、重要度設定部５０３は、アクセス回数記憶部５０４から、検索部５０２から受け付けた情報取得要求に含まれる物体の名称あるいは位置情報と関連づけられたアクセス回数を取得し、取得したアクセス回数に１を加える。その後、ステップ１４０４が実行される。
【０２０１】
ステップ１４０４では、重要度設定部５０３が、重要基準記憶部５０５に記憶された基準アクセス回数１１５２とアクセス回数記憶部５０４から取得したアクセス回数に１を加えたアクセス回数と、に一致している値があるか否かの判断を行う。一致している値があると判断された場合、ステップ１４０５が実行され、一方、一致している値がないと判断された場合、ステップ１４０６が実行される。
【０２０２】
ステップ１４０５では、重要度設定部５０３が、重要基準記憶部５０５から取得した重要度１１５１を、検索部５０２から受け付けた情報取得要求に含まれる物体の名称あるいは位置情報と、関連づけて検出入出力部５０１および入出力部４０１を介して重要度記憶部４０６に出力する。
【０２０３】
重要度記憶部４０６は、重要度設定部５０３から検出入出力部５０１および入出力部４０１を介して互いに関連づけられた重要度と物体の名称あるいは位置情報とを受け付け、受け付けた互いに関連づけられた重要度と物体の名称あるいは位置情報とを記憶する。その後、ステップ１４０６が実行される。
【０２０４】
ステップ１４０６では、重要度設定部５０３が、検索部５０２から受け付けた情報取得要求に含まれる物体の名称あるいは位置情報と、アクセス回数記憶部５０４から取得したアクセス回数に１を加えたアクセス回数と、を関連づけてアクセス情報記憶部５０４に出力する。
【０２０５】
アクセス情報記憶部５０４は、重要度設定部５０３から互いに関連づけられた物体の名称あるいは位置情報とアクセス回数とを受け付け、受け付けた互いに関連づけられた物体の名称あるいは位置情報とアクセス回数とを記憶する。
【０２０６】
本実施例によれば、認識部３０１は、入力部３００から送信情報を受け付け、受け付けた送信情報に含まれる映像情報から映像特定情報（被写体の名称、該被写体の位置および該被写体の大きさ）を抽出する。
【０２０７】
判断部３０２は、分類情報記憶部３０３から、認識部３０１から受け付けた総合情報に含まれる被写体の名称と一致している特徴物体６０１と関連づけられている判別子６０２を取得する。判断部３０２は、分類情報記憶部３０３から取得した判別子６０２に基づいて、認識部３０１から受け付けた総合情報を特定の種別（店舗取得情報、娯楽取得情報あるいは屋外取得情報のいずれか）に分類する
提供情報生成部３１０は、認識部３０１から受け付けた総合情報に含まれる映像情報と、判断部３０２にて分類された特定の種別と、に基づいて提供情報を作成あるいは更新する。
【０２０８】
これにより、情報送信端末装置１０から受け付けた映像情報から映像特定情報が抽出される。その抽出された映像特定情報に基づいて、映像情報が特定の種別に分類され、映像情報と特定の種別とに基づいて提供情報が作成される。よって、サービス提供者とは異なる一般のユーザから様々な情報が提供されても、それらの情報が複数の種別の一つに分類され、分類された種別に応じた提供情報が自動生成可能になる。
【０２０９】
また、本実施例では、屋外情報生成部３０４は、認識部３０１から受け付けた総合情報に含まれる位置情報および映像特定情報（被写体の名称、被写体の位置および被写体の大きさ）に基づいて、地図情報を更新し、更新した地図情報を出力部３０８および入出力部４０１を介して地図情報記憶部４０２に出力する。
【０２１０】
これにより、地図情報が、映像情報から抽出された映像特定情報と、情報取得位置を示す位置情報と、に基づいて更新される。これにより、地図情報が自動更新可能になる。
【０２１１】
また、本実施例では、屋外情報生成部３０４は、重要度記憶部４０６から、判断部３０２から受け付けた総合情報に含まれる位置情報を含む重要度因子と関連づけられたパラメータを取得し、取得したパラメータに基づいて、判断部３０２から受け付けた総合情報に含まれる映像情報および音声情報を加工する。具体的には、屋外情報生成部３０４は、重要度記憶部４０６から取得したパラメータに基づいて、判断部３０２から受け付けた総合情報に含まれる映像情報および音声情報の圧縮率を決定し、決定された圧縮率で映像情報および音声情報を圧縮する。
【０２１２】
これにより、映像情報および音声情報が、映像情報および音声情報が取得された取得位置を示す地図位置情報と関連づけられたパラメータに応じて加工される。よって、地図位置情報に応じた提供情報が自動生成可能になる。
【０２１３】
また、本実施例では、店舗情報生成部３０５は、判断部３０２から受け付けた総合情報に含まれる位置情報および映像特定情報（被写体の名称、被写体の位置および被写体の大きさ）と、店舗情報記憶部４０４から取得した見取り図７０２とに基づいて、見取り図７０２を更新あるいは作成する。店舗情報生成部３０５は、判断部３０２から受け付けた総合情報に含まれる映像特定情報（被写体の名称、被写体に記述されている文字）および音声特定情報と、店舗情報記憶部４０４から取得した販売商品表７０３とに基づいて、販売商品表７０３を更新あるいは作成する。
【０２１４】
店舗情報生成部３０５は、重要度記憶部４０６から、認識部３０１から受け付けた総合情報に含まれる被写体の名称を含む重要度因子と関連づけられたパラメータを取得し、取得したパラメータに基づいて、判断部３０２から受け付けた総合情報に含まれる映像情報および音声情報を加工する。具体的には、店舗情報生成部３０５は、重要度記憶部４０６から、認識部３０１から受け付けた総合情報に含まれる被写体の名称を含む重要度因子と関連づけられたパラメータを取得し、取得したパラメータに基づいて、映像情報および音声情報の圧縮率を決定し、決定された圧縮率で映像情報および音声情報を圧縮する。
【０２１５】
これにより、店舗提供情報が、映像特定情報および音声特定情報に基づいて更新あるいは生成される。よって、店舗に対応する提供情報が自動更新あるいは自動生成可能になる。
【０２１６】
また、本実施例では、娯楽情報生成部３０６は、判断部３０２から総合情報を受け付けると、娯楽情報記憶部４０５から、判断部３０２から受け付けた総合情報に含まれる被写体の名称を含む重要度因子と関連づけられて記憶されたパラメータを取得し、取得したパラメータに基づいて、判断部３０２から受け付けた総合情報に含まれる映像情報および音声情報を加工する。具体的には、娯楽情報生成部３０６は、娯楽情報記憶部４０５から、判断部３０２から受け付けた総合情報に含まれる被写体の名称を含む重要度因子と関連づけられて記憶されたパラメータを取得し、取得したパラメータに基づいて、判断部３０２から受け付けた総合情報に含まれる映像情報および音声情報の圧縮率を決定し、決定された圧縮率で映像情報および音声情報を圧縮する。
【０２１７】
これにより、映像情報および音声情報が、映像特定情報と関連づけられたパラメータに応じて加工される。よって、映像情報に応じた提供情報が自動生成可能になる。
【０２１８】
また、本実施例では、重要度設定部５０３は、検索部５０２から情報取得要求を受け付け、受け付けた情報取得要求に含まれる物体の名称および位置情報を取得する。
【０２１９】
重要度設定部５０３は、重要度設定部５０３は、アクセス回数記憶部５０４から、検索部５０２から受け付けた情報取得要求に含まれる物体の名称および位置情報と関連づけられたアクセス回数を取得し、取得されたアクセス回数に１を加える。重要度設定部５０３は、アクセス回数記憶部５０４から取得したアクセス回数に１を加えたアクセス回数に基づいて、検索部５０２から受け付けた情報取得要求に含まれる物体の名称あるいは位置情報の重要度を決定する。
【０２２０】
これにより、重要度を示すパラメータが、取得要求の要求対象に地図位置情報あるいは映像特定情報が過去に含まれたアクセス回数にて変更される。よって、ユーザからのアクセス回数に応じた提供情報が生成可能になる。
【０２２１】
以上説明した実施例において、図示した構成は単なる一例であって、本発明はその構成に限定されるものではない。
【図面の簡単な説明】
【０２２２】
【図１】本発明の一実施例の情報収集システムを示したブロック図である。
【図２】情報送信端末装置の構成の一例を示したブロック図である。
【図３】加工サーバの構成の一例を示したブロック図である。
【図４】記憶装置の構成の一例を示したブロック図である。
【図５】検索サーバの構成の一例を示したブロック図である。
【図６】分類情報データベースの一例を示した図である
【図７】店舗情報データベースの一例を示した図である
【図８】屋外情報データベースの一例を示した図である
【図９】娯楽情報データベースの一例を示した図である
【図１０】重要度データベースの一例を示した図である
【図１１ａ】アクセス回数データベースの一例を示した図である。
【図１１ｂ】重要基準データベースの一例を示した図である。
【図１２】情報収集システムの動作の一例を説明するためのフローチャートである。
【図１３】情報収集システムの動作の一例を説明するためのフローチャートである。
【図１４】情報収集システムの動作の一例を説明するためのフローチャートである
【図１５】見取り図の作成を説明するための概念図である。
【符号の説明】
【０２２３】
１０    情報送信端末装置
２０    データセンタ
２１    加工サーバ
２２    記憶装置
２３    検索サーバ
３０    情報受信端末装置
４０    ネットワーク網
２０１  ビデオカメラ
２０２  マイク
２０３  ＧＰＳ部
２０４  制御部
２０５  送信部
３００  入力部
３０１  認識部
３０２  判断部
３０３  分類情報記憶部
３０４  屋外情報生成部
３０５  店舗情報生成部
３０６  娯楽情報生成部
３０７  時計部
３０８  出力部
３１０  提供情報生成部
４０１  入出力部
４０２  地図情報記憶部
４０３  屋外情報記憶部
４０４  店舗情報記憶部
４０５  娯楽情報記憶部
４０６  重要度記憶部
４１０  提供情報記憶部
５０１  検索入出力部
５０２  検索部
５０３  重要度設定部
５０４  アクセス回数記憶部
５０５  重要基準記憶部
６００  分類情報データベース
６０１  特徴物体
６０２  判別子
７００  店舗情報データベース
７０１  位置情報
７０２  見取り図
７０３  販売商品表
７０４  補足情報
８００  屋外情報データベース
８０１  位置情報
８０２  屋外提供情報
９００  娯楽情報データベース
９０１  位置情報
９０２  娯楽提供情報
１０００       重要度データベース
１００１       重要度因子
１００２       重要度
１１００       アクセス回数データベースベース
１１０１       重要度因子
１１０２       アクセス回数
１１５０       重要基準データベース
１１５１       重要度
１１５２       基準アクセス回数
【図１】
2006309481.tif 000003
【図２】
2006309481.tif 000004
【図３】
2006309481.tif 000005
【図４】
2006309481.tif 000006
【図５】
2006309481.tif 000007
【図６】
2006309481.tif 000008
【図７】
2006309481.tif 000009
【図８】
2006309481.tif 000010
【図９】
2006309481.tif 000011
【図１０】
2006309481.tif 000012
【図１１ａ】
2006309481.tif 000013
【図１１ｂ】
2006309481.tif 000014
【図１２】
2006309481.tif 000015
【図１３】
2006309481.tif 000016
【図１４】
2006309481.tif 000017
【図１５】
2006309481.tif 000018